(57)【特許請求の範囲】
【請求項１】
ネットワークを介して端末装置に講義を提供し、テストを実施する講義・テスト提供サーバを有するテストドリブン型Ｅラーニングシステムであって、
講義・テスト提供サーバは、節内のパラグラフ毎の講義データを記憶する講義データ記憶部と、パラグラフ毎にテストの問題データ、答データおよび解説データを複数記憶するテストデータ記憶部を備え、
処理プログラムを読み込んで実現する機能実現手段として、
講義データの配信、テストの実施を管理する講義・テスト管理手段と、
講義データを前記講義データ記憶部から読み込み、前記端末装置に提供する講義提供手段と、
前記講義データ提供後に、前記テストデータ記憶部から当該講義データのパラグラフに対応する小テストの問題データを選択的に抽出して読み込み、当該問題データを前記端末装置に送信して前記端末装置から解答データを受信し、前記テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点でなければ、当該パラグラフの弱点克服テストが合格点でない旨を前記講義・テスト管理手段に通知するテスト実施手段と、
節内のパラグラフの中で苦手分野のパラグラフを判定する苦手分野のパラグラフ判定手段とを有し、
前記講義・テスト管理手段が、前記テスト実施手段から前記パラグラフの弱点克服テストが合格点でない旨の通知を受けると、該当するパラグラフの講義データの配信を前記講義提供手段に指示し、該当するパラグラフの小テストの実施を前記テスト実施手段に指示し、
前記講義提供手段が、前記講義・テスト管理手段からの該当するパラグラフの講義データの配信指示を入力すると、該当するパラグラフの講義データを前記講義データ記憶部から読み込み、前記端末装置に提供し、
前記テスト実施手段が、前記講義提供手段で提供された講義データのパラグラフに対応する小テストの問題データを前記テストデータ記憶部から選択的に抽出して読み込み、当該問題データを前記端末装置に送信し、節内の全てのパラグラフについて講義配信と小テストの実施が終了すると、前記テストデータ記憶部から当該節内の全てのパラグラフに対応する小テストの問題データをパラグラフ毎に予め決められた問題数について選択的に抽出して読み込み、前記節内の全てのパラグラフに対するまとめテストとして当該問題データを前記端末装置に送信して前記端末装置から解答データを受信し、前記テストデータ記憶部の対応する答データと照合して採点を行い、合格点でなければ、合格点に到達していない旨を前記苦手分野のパラグラフ判定手段に報告し、
前記苦手分野のパラグラフ判定手段が、前記まとめテストについて正解及び不正解のテスト問題をパラグラフ毎に分類し、パラグラフ毎の不正解率が特定の基準値を上回っている場合に、当該パラグラフを苦手分野のパラグラフと認定し、当該パラグラフを苦手分野として前記端末装置に通知すると共に、当該パラグラフを苦手分野として前記講義・テスト管理手段に報告し、
前記講義・テスト管理手段が、前記苦手分野のパラグラフ判定手段から前記まとめテストにおける特定のパラグラフが苦手分野である旨の報告を受けると、該当するパラグラフの講義データの配信を前記講義提供手段に指示し、該当するパラグラフの小テストの実施を前記テスト実施手段に指示し、
前記講義提供手段が、前記まとめテストにおける苦手分野のパラグラフの講義データを前記講義データ記憶部から読み込み、前記端末装置に提供し、
前記テスト実施手段が、前記まとめテストにおける苦手分野のパラグラフに対応する小テストの問題データを前記テストデータ記憶部から選択的に抽出して読み込み、当該問題データを前記端末装置に送信することを特徴とするテストドリブン型Ｅラーニングシステム。
【請求項２】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点でなければ、当該パラグラフの弱点克服テストが合格点でない旨を講義・テスト管理手段に通知し、
前記講義・テスト管理手段が、前記テスト実施手段から当該パラグラフの弱点克服テストが合格点でない旨の通知を受けると、該当するパラグラフの講義データの配信を講義提供手段に指示し、該当するパラグラフの小テストの実施を前記テスト実施手段に指示し、
前記講義提供手段が、該当するパラグラフの講義データを前記講義データ記憶部から読み込み、前記端末装置に提供し、
前記テスト実施手段が、該当するパラグラフに対応する小テストの問題データを前記テストデータ記憶部から選択的に抽出して読み込み、当該問題データを前記端末装置に送信することを特徴とする請求項１記載のテストドリブン型Ｅラーニングシステム。
【請求項３】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点であれば、前記テストデータ記憶部から当該節内の全てのパラグラフに対応する小テストの問題データをパラグラフ毎に予め決められた問題数について選択的に抽出して読み込み、前記節内の全てのパラグラフに対する再度のまとめテストとして当該問題データを前記端末装置に送信することを特徴とする請求項１記載のテストドリブン型Ｅラーニングシステム。
【請求項４】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点であれば、前記テストデータ記憶部から当該節内の全てのパラグラフに対応する小テストの問題データをパラグラフ毎に予め決められた問題数について選択的に抽出して読み込み、前記節内の全てのパラグラフに対する再度のまとめテストとして当該問題データを前記端末装置に送信することを特徴とする請求項１記載のテストドリブン型Ｅラーニングシステム。
【請求項５】
ネットワークを介して端末装置に講義を提供し、テストを実施する講義・テスト提供サーバで動作するコンピュータプログラムであって、
前記講義・テスト提供サーバを、
講義データの配信、テストの実施を管理する講義・テスト管理手段と、
パラグラフ毎の講義データを記憶する講義データ記憶部から講義データを読み込み、前記端末装置に提供する講義提供手段と、
前記講義データ提供後に、パラグラフ毎にテストの問題データ、答データおよび解説データを複数記憶するテストデータ記憶部から当該講義データのパラグラフに対応する小テストの問題データを選択的に抽出して読み込み、当該問題データを前記端末装置に送信して前記端末装置から解答データを受信し、前記テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点でなければ、当該パラグラフの弱点克服テストが合格点でない旨を前記講義・テスト管理手段に通知するテスト実施手段と、
節内のパラグラフの中で苦手分野のパラグラフを判定する苦手分野のパラグラフ判定手段として機能させ、
前記講義・テスト管理手段が、前記テスト実施手段から前記パラグラフの弱点克服テストが合格点でない旨の通知を受けると、該当するパラグラフの講義データの配信を前記講義提供手段に指示し、該当するパラグラフの小テストの実施を前記テスト実施手段に指示し、
前記講義提供手段が、前記講義・テスト管理手段からの該当するパラグラフの講義データの配信指示を入力すると、該当するパラグラフの講義データを前記講義データ記憶部から読み込み、前記端末装置に提供し、
前記テスト実施手段が、前記講義提供手段で提供された講義データのパラグラフに対応する小テストの問題データを前記テストデータ記憶部から選択的に抽出して読み込み、当該問題データを前記端末装置に送信し、節内の全てのパラグラフについて講義配信と小テストの実施が終了すると、前記テストデータ記憶部から当該節内の全てのパラグラフに対応する小テストの問題データをパラグラフ毎に予め決められた問題数について選択的に抽出して読み込み、前記節内の全てのパラグラフに対するまとめテストとして当該問題データを前記端末装置に送信して前記端末装置から解答データを受信し、前記テストデータ記憶部の対応する答データと照合して採点を行い、合格点でなければ、合格点に到達していない旨を前記苦手分野のパラグラフ判定手段に報告し、
前記苦手分野のパラグラフ判定手段が、前記まとめテストについて正解及び不正解のテスト問題をパラグラフ毎に分類し、パラグラフ毎の不正解率が特定の基準値を上回っている場合に、当該パラグラフを苦手分野のパラグラフと認定し、当該パラグラフを苦手分野として前記端末装置に通知すると共に、当該パラグラフを苦手分野として前記講義・テスト管理手段に報告し、
前記講義・テスト管理手段が、前記苦手分野のパラグラフ判定手段から前記まとめテストにおける特定のパラグラフが苦手分野である旨の報告を受けると、該当するパラグラフの講義データの配信を前記講義提供手段に指示し、該当するパラグラフの小テストの実施を前記テスト実施手段に指示し、
前記講義提供手段が、前記まとめテストにおける苦手分野のパラグラフの講義データを前記講義データ記憶部から読み込み、前記端末装置に提供し、
前記テスト実施手段が、前記まとめテストにおける苦手分野のパラグラフに対応する小テストの問題データを前記テストデータ記憶部から選択的に抽出して読み込み、当該問題データを前記端末装置に送信するよう機能させるためのコンピュータプログラム。
【請求項６】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点でなければ、当該パラグラフの弱点克服テストが合格点でない旨を講義・テスト管理手段に通知し、
前記講義・テスト管理手段が、前記テスト実施手段から当該パラグラフの弱点克服テストが合格点でない旨の通知を受けると、該当するパラグラフの講義データの配信を講義提供手段に指示し、該当するパラグラフの小テストの実施を前記テスト実施手段に指示し、
前記講義提供手段が、該当するパラグラフの講義データを前記講義データ記憶部から読み込み、前記端末装置に提供し、
前記テスト実施手段が、該当するパラグラフに対応する小テストの問題データを前記テストデータ記憶部から選択的に抽出して読み込み、当該問題データを前記端末装置に送信することを特徴とする請求項５記載のコンピュータプログラム。
【請求項７】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点であれば、前記テストデータ記憶部から当該節内の全てのパラグラフに対応する小テストの問題データをパラグラフ毎に予め決められた問題数について選択的に抽出して読み込み、前記節内の全てのパラグラフに対する再度のまとめテストとして当該問題データを前記端末装置に送信することを特徴とする請求項５記載のコンピュータプログラム。
【請求項８】
テスト実施手段が、まとめテストにおける苦手分野のパラグラフの問題データを端末装置に送信した場合に、前記端末装置から解答データを受信し、テストデータ記憶部の対応する答データと照合して採点を行い、合格点でなければ、当該パラグラフを苦手分野として前記端末装置に通知して表示画面に表示させ、前記テストデータ記憶部から当該パラグラフの問題データを選択的に抽出して読み込んで弱点克服テストとして前記端末装置に送信して前記端末装置から解答データを受信し、当該弱点克服テストについて前記テストデータ記憶部の対応する答データと照合して採点を行い、合格点であれば、前記テストデータ記憶部から当該節内の全てのパラグラフに対応する小テストの問題データをパラグラフ毎に予め決められた問題数について選択的に抽出して読み込み、前記節内の全てのパラグラフに対する再度のまとめテストとして当該問題データを前記端末装置に送信することを特徴とする請求項５記載のコンピュータプログラム。
【発明の詳細な説明】
【技術分野】
【０００１】
本発明は、インターネットを利用したｅラーニングで講義とテストを提供するテストドリブン型Ｅラーニングシステムに係り、特に、講義内容について弱点を克服できるテストを実現するテストドリブン型Ｅラーニングシステムに関する。
【背景技術】
【０００２】
［従来の技術］
インターネットの普及により講義内容を動画像で配信するｅラーニングが様々な分野で利用されている。このオンラインによるｅラーニングは、リアルな講義と比較して受講者の場所と時間を拘束しないため、今後益々の発展が予想される。
【０００３】
［関連技術］
尚、関連する先行技術として、特表２００９−５４０３５７号公報「問題銀行と動画像講義とが連動したオンライン教育方法」（ハッピーエドゥ  カンパニー  リミテッド）［特許文献１］がある。
特許文献１には、オンライン教育で講義を提供し、更に学習問題を提供し、提供した学習問題で誤答した問題と類似な類型の問題を提供することが示されている。
【先行技術文献】
【特許文献】
【０００４】
【特許文献１】特表２００９−５４０３５７号公報
【発明の概要】
【発明が解決しようとする課題】
【０００５】
しかしながら、従来のオンライン教育方法では、受講者に講義とテストを提供し、テスト結果を通知するものであるが、受講者に苦手分野を通知し、その分野の弱点を自然に克服する工夫が為されていないという問題点があった。
【０００６】
特許文献１では、誤答問題に類似する類型の問題を提供することで、弱点の克服を図るものであるが、誤答した問題の解説を聞いて類似の問題を解いても、その場では理解したように見えるが、類似の類型ではない問題が混在しているテストの場合など、苦手分野の正解率が悪くなることがあり、弱点を充分に克服できていない場合があった。
【０００７】
本発明は上記実情に鑑みて為されたもので、受講者に苦手分野であることを通知して、弱点克服のテストを実施し、まとめテストで正解率の悪い箇所に相当するパラグラフについては再度講義を提供して、更に小テスト、弱点克服テストを実施するようにしているので、講義の受講、テストの実施という流れの中で、受講者の弱点を自然に容易に克服できるテストドリブン型Ｅラーニングシステムを提供することを目的とする。
【課題を解決するための手段】
【０００８】
上記従来例の問題点を解決するための本発明は、ネットワークを介して端末装置に講義を提供し、テストを実施する講義・テスト提供サーバを有するテストドリブン型Ｅラーニングシステムであって、講義・テスト提供サーバは、節内のパラグラフ毎の講義データを記憶する講義データ記憶部と、パラグラフ毎にテストの問題データ、答データおよび解説データを複数記憶するテストデータ記憶部を備え、処理プログラムを読み込んで実現する機能実現手段として、講義データの配信、テストの実施を管理する講義・テスト管理手段と、講義データを講義データ記憶部から読み込み、端末装置に提供する講義提供手段と、講義データ提供後に、テストデータ記憶部から当該講義データのパラグラフに対応する小テストの問題データを選択的に抽出して読み込み、当該問題データを端末装置に送信して端末装置から解答データを受信し、テストデータ記憶部の対応する答データと照合して採点を行い、合格点でなければ、当該パラグラフを苦手分野として端末装置に通知して表示画面に表示させ、テストデータ記憶部から当該パラグラフの問題データを選択的に抽出して読み込んで弱点克服テストとして端末装置に送信して端末装置から解答データを受信し、当該弱点克服テストについてテストデータ記憶部の対応する答データと照合して採点を行い、合格点でなければ、当該パラグラフの弱点克服テストが合格点でない旨を講義・テスト管理手段に通知するテスト実施手段と、節内のパラグラフの中で苦手分野のパラグラフを判定する苦手分野のパラグラフ判定手段とを有し、講義・テスト管理手段が、テスト実施手段からパラグラフの弱点克服テストが合格点でない旨の通知を受けると、該当するパラグラフの講義データの配信を講義提供手段に指示し、該当するパラグラフの小テストの実施をテスト実施手段に指示し、講義提供手段が、講義・テスト管理手段からの該当するパラグラフの講義データの配信指示を入力すると、該当するパラグラフの講義データを講義データ記憶部から読み込み、端末装置に提供し、テスト実施手段が、講義提供手段で提供された講義データのパラグラフに対応する小テストの問題データをテストデータ記憶部から選択的に抽出して読み込み、当該問題データを端末装置に送信し、節内の全てのパラグラフについて講義配信と小テストの実施が終了すると、テストデータ記憶部から当該節内の全てのパラグラフに対応する小テストの問題データをパラグラフ毎に予め決められた問題数について選択的に抽出して読み込み、節内の全てのパラグラフに対するまとめテストとして当該問題データを端末装置に送信して端末装置から解答データを受信し、テストデータ記憶部の対応する答データと照合して採点を行い、合格点でなければ、合格点に到達していない旨を苦手分野のパラグラフ判定手段に報告し、苦手分野のパラグラフ判定手段が、まとめテストについて正解及び不正解のテスト問題をパラグラフ毎に分類し、パラグラフ毎の不正解率が特定の基準値を上回っている場合に、当該パラグラフを苦手分野のパラグラフと認定し、当該パラグラフを苦手分野として端末装置に通知すると共に、当該パラグラフを苦手分野として講義・テスト管理手段に報告し、講義・テスト管理手段が、苦手分野のパラグラフ判定手段からまとめテストにおける特定のパラグラフが苦手分野である旨の報告を受けると、該当するパラグラフの講義データの配信を講義提供手段に指示し、該当するパラグラフの小テストの実施をテスト実施手段に指示し、講義提供手段が、まとめテストにおける苦手分野のパラグラフの講義データを講義データ記憶部から読み込み、端末装置に提供し、テスト実施手段が、まとめテストにおける苦手分野のパラグラフに対応する小テストの問題データをテストデータ記憶部から選択的に抽出して読み込み、当該問題データを端末装置に送信することを特徴とする。
【００１０】
本発明は、上記テストドリブン型Ｅラーニングシステムにおいて、テスト実施手段が、まとめテストにおける苦手分野のパラグラフの問題データを端末装置に送信した場合に、端末装置から解答データを受信し、テストデータ記憶部の対応する答データと照合して採点を行い、合格点でなければ、当該パラグラフを苦手分野として端末装置に通知して表示画面に表示させ、テストデータ記憶部から当該パラグラフの問題データを選択的に抽出して読み込んで弱点克服テストとして端末装置に送信して端末装置から解答データを受信し、当該弱点克服テストについてテストデータ記憶部の対応する答データと照合して採点を行い、合格点でなければ、当該パラグラフの弱点克服テストが合格点でない旨を講義・テスト管理手段に通知し、講義・テスト管理手段が、テスト実施手段から当該パラグラフの弱点克服テストが合格点でない旨の通知を受けると、該当するパラグラフの講義データの配信を講義提供手段に指示し、該当するパラグラフの小テストの実施をテスト実施手段に指示し、講義提供手段が、該当するパラグラフの講義データを講義データ記憶部から読み込み、端末装置に提供し、テスト実施手段が、該当するパラグラフに対応する小テストの問題データをテストデータ記憶部から選択的に抽出して読み込み、当該問題データを端末装置に送信することを特徴とする。
【００１１】
本発明は、上記テストドリブン型Ｅラーニングシステムにおいて、テスト実施手段が、まとめテストにおける苦手分野のパラグラフの問題データを端末装置に送信した場合に、端末装置から解答データを受信し、テストデータ記憶部の対応する答データと照合して採点を行い、合格点であれば、テストデータ記憶部から当該節内の全てのパラグラフに対応する小テストの問題データをパラグラフ毎に予め決められた問題数について選択的に抽出して読み込み、節内の全てのパラグラフに対する再度のまとめテストとして当該問題データを端末装置に送信することを特徴とする。
【００１２】
本発明は、上記テストドリブン型Ｅラーニングシステムにおいて、テスト実施手段が、まとめテストにおける苦手分野のパラグラフの問題データを端末装置に送信した場合に、端末装置から解答データを受信し、テストデータ記憶部の対応する答データと照合して採点を行い、合格点でなければ、当該パラグラフを苦手分野として端末装置に通知して表示画面に表示させ、テストデータ記憶部から当該パラグラフの問題データを選択的に抽出して読み込んで弱点克服テストとして端末装置に送信して端末装置から解答データを受信し、当該弱点克服テストについてテストデータ記憶部の対応する答データと照合して採点を行い、合格点であれば、テストデータ記憶部から当該節内の全てのパラグラフに対応する小テストの問題データをパラグラフ毎に予め決められた問題数について選択的に抽出して読み込み、節内の全てのパラグラフに対する再度のまとめテストとして当該問題データを端末装置に送信することを特徴とする。
【発明の効果】
【００１３】
本発明によれば、テスト実施手段が、講義データ提供後に、テストデータ記憶部から当該講義データのパラグラフに対応する小テストの問題データを選択的に抽出して読み込み、当該問題データを端末装置に送信して端末装置から解答データを受信し、テストデータ記憶部の対応する答データと照合して採点を行い、合格点でなければ、当該パラグラフを苦手分野として端末装置に通知して表示画面に表示させ、テストデータ記憶部から当該パラグラフの問題データを選択的に抽出して読み込んで弱点克服テストとして端末装置に送信して端末装置から解答データを受信し、当該弱点克服テストについてテストデータ記憶部の対応する答データと照合して採点を行い、合格点でなければ、当該パラグラフの弱点克服テストが合格点でない旨を講義・テスト管理手段に通知し、苦手分野のパラグラフ判定手段が、節内のパラグラフの中で苦手分野のパラグラフを判定し、講義・テスト管理手段が、テスト実施手段からパラグラフの弱点克服テストが合格点でない旨の通知を受けると、該当するパラグラフの講義データの配信を講義提供手段に指示し、該当するパラグラフの小テストの実施をテスト実施手段に指示し、講義提供手段が、講義・テスト管理手段からの該当するパラグラフの講義データの配信指示を入力すると、該当するパラグラフの講義データを講義データ記憶部から読み込み、端末装置に提供し、テスト実施手段が、講義提供手段で提供された講義データのパラグラフに対応する小テストの問題データをテストデータ記憶部から選択的に抽出して読み込み、当該問題データを端末装置に送信し、節内の全てのパラグラフについて講義配信と小テストの実施が終了すると、テストデータ記憶部から当該節内の全てのパラグラフに対応する小テストの問題データをパラグラフ毎に予め決められた問題数について選択的に抽出して読み込み、節内の全てのパラグラフに対するまとめテストとして当該問題データを端末装置に送信して端末装置から解答データを受信し、テストデータ記憶部の対応する答データと照合して採点を行い、合格点でなければ、合格点に到達していない旨を苦手分野のパラグラフ判定手段に報告し、苦手分野のパラグラフ判定手段が、まとめテストについて正解及び不正解のテスト問題をパラグラフ毎に分類し、パラグラフ毎の不正解率が特定の基準値を上回っている場合に、当該パラグラフを苦手分野のパラグラフと認定し、当該パラグラフを苦手分野として端末装置に通知すると共に、当該パラグラフを苦手分野として講義・テスト管理手段に報告し、講義・テスト管理手段が、苦手分野のパラグラフ判定手段からまとめテストにおける特定のパラグラフが苦手分野である旨の報告を受けると、該当するパラグラフの講義データの配信を講義提供手段に指示し、該当するパラグラフの小テストの実施をテスト実施手段に指示し、講義提供手段が、まとめテストにおける苦手分野のパラグラフの講義データを講義データ記憶部から読み込み、端末装置に提供し、テスト実施手段が、まとめテストにおける苦手分野のパラグラフに対応する小テストの問題データをテストデータ記憶部から選択的に抽出して読み込み、当該問題データを端末装置に送信するテストドリブン型Ｅラーニングシステムとしているので、まとめテストで正解率の悪い箇所に相当するパラグラフについては、受講者に苦手分野であることを通知して、再度講義を提供して小テストを実施するものであり、講義の受講、テストの実施という流れの中で、受講者の弱点を自然に容易に克服できる効果がある。
【図面の簡単な説明】
【００１５】
【図１】本発明の実施の形態に係る講義・テスト提供システムの構成ブロック図である。
【図２】講義・テスト提供サーバの概略図である。
【図３】講義・テストの構造の一例を示す概略図である。
【図４】テストデータの構成例を示す概略図である。
【図５】本システムの処理フロー１を示すフローチャートである。
【図６】本システムの処理フロー２を示すフローチャートである。
【図７】小テスト画面を示す図である。
【図８】弱点克服テスト画面を示す図である。
【図９】まとめテスト画面を示す図である。
【発明を実施するための形態】
【００１６】
本発明の実施の形態について図面を参照しながら説明する。
［実施の形態の概要］
本発明の実施の形態に係る講義・テスト提供システム（テストドリブン型Ｅラーニングシステム）は、講義・テスト提供サーバが、パラグラフ毎に講義を提供して小テストを実施し、合格点に到達しない場合は受講者に苦手分野であることを通知して、その分野について弱点克服のテストを実施し、パラグラフが終了し、次の節に移行する前にまとめテストを実施して、そのまとめテストで正解率の悪い箇所に相当するパラグラフについては再度講義を提供して、更に小テスト、弱点克服テストを実施するテストドリブンのシステムとしているので、受講者は苦手分野を認識しながら、弱点克服テストを効果的に受けて次の講義に進むことができ、講義の受講、テストの実施という流れの中で、受講者の弱点を自然に容易に克服できるものである。
【００１７】
［本システム：図１］
本発明の実施の形態に係る講義・テスト提供システム（本システム）について図１を参照しながら説明する。図１は、本発明の実施の形態に係る講義・テスト提供システムの構成ブロック図である。
本システムは、図１に示すように、講義・テスト提供サーバ１と、インターネット２と、複数のコンピュータ（ＰＣ）３とを基本的に有している。
【００１８】
［本システムの各部］
本システムの各部について具体的に説明する。
講義・テスト提供サーバ１は、講義内容の動画像データ、テストの問題データを、インターネット２を介して複数のＰＣ３に配信するＷｅｂサーバであり、ＰＣ３からのテストの解答データを受信して採点し、採点結果を当該ＰＣ３に送信するものである。
講義・テスト提供サーバ１の具体的構成及び処理動作については後述する。
【００１９】
本システムでは、ネットワークとしてインターネット２を用いたが、専用回線のネットワークであってもよい。
複数のコンピュータ（ＰＣ）３は、制御部と、表示部と、入力部とを備え、インターネット２に接続するコンピュータである。
ＰＣ３は、受講者が講義・テスト提供サーバ１にインターネット２を介してアクセスし、講義内容の動画像データを表示部で再生し、テストの問題データを受信して表示部に表示し、入力部から解答データを入力して講義・テスト提供サーバ１に送信する。
尚、ＰＣ３は、有線でインターネット２に接続するようになっているが、無線でインターネット２に接続してもよい。また、ＰＣ３の代わりにタブレット端末、スマートフォンを用いてもよい。
【００２０】
［講義・テスト提供サーバ１：図２］
本システムにおける講義・テスト提供サーバ１について図２を参照しながら説明する。図２は、講義・テスト提供サーバの概略図である。
講義・テスト提供サーバ１は、図２に示すように、少なくとも制御部１１と、記憶部１２と、インタフェース部１３とを有している。
【００２１】
［制御に１１］
制御部１１は、サーバの全体の制御を行うもので、記憶部１２に記憶された処理プログラムを読み込み、必要な処理を実行する各種機能実現手段を実行可能とするものである。
制御部１１で実現される各種手段については後述する。
インタフェース部１３は、インターネット２に接続するためのインタフェースとなるものである。
【００２２】
［記憶部１２］
記憶部１２は、例えば、制御部１１で実行される処理プログラムと、講義内容の像画像データ（音声データも含む、以下「講義データ」とする）と、テストデータ（テストの問題データ、答データ、解説データ等）と、放送される講義と実施されるテストの構造データと、その他必要なデータ等とを記憶する。
【００２３】
具体的には、記憶部１２は、図２に示すように、講義とテストの構造を示す構造データを記憶する講義・テスト構造データ記憶部１２ａと、講義データを記憶する講義データ記憶部１２ｂと、テストデータを記憶するテストデータ記憶部１２ｃと有している。
【００２４】
［構造データ：図３］
構造データについて図３を参照しながら説明する。図３は、講義・テストの構造の一例を示す概略図である。
構造データは、図３に示すように、オンラインで提供される講義とテストの構造を規定するデータであり、例えば、複数のカリキュラムが用意されていて、カリキュラム１として、その下に複数の「章」、複数の「節」、複数の「パラグラフ」がツリー構造となっている場合に、どの段階で講義データ、テストデータを提供するのかを規定したものである。
【００２５】
図３の例では、パラグラフ毎に講義データが提供され、その後に小テストが実施され、節内の全てのパラグラフが終了すると節テストが実施され、章内の全ての節が終了すると章テストが実施されるよう規定されている。
尚、テストの実施は、講義・テスト提供サーバ１が、テストの問題データを受講者のＰＣ３に提供し、ＰＣ３から解答データを受信して採点し、採点結果をＰＣ３に通知するようになっている。
また、小テストに対して節テストは、まとめテストであり、節テストに対して章テストは、まとめテストである。従って、まとめテストには様々のパラグラフの問題データが混在している。
【００２６】
［テストデータの構成：図４］
次に、本システムにおけるテストデータの構成について図４を参照しながら説明する。図４は、テストデータの構成例を示す概略図である。
テストデータは、例えば、図４に示すように、章・節・パラグラフ番号（ＮＯ．）、テスト番号（ＮＯ．）、テスト問題、テスト答、テスト解説のデータから構成されている。
章・節・パラグラフ番号は、どの章のどの節のどのパラグラフであるのかを示す情報が含まれる。
【００２７】
小テストが実施されると、該当するパラグラフの中から任意（ランダム）にテスト問題データが選択されて抽出され、テスト問題データだけが受講者のＰＣ３に提供される。
そのテスト問題に対して受講者がＰＣ３から解答すると、講義・テスト提供サーバ１は、対応するテスト答データと照合して正解／不正解を判定し、テスト結果をＰＣ３に送信する。テスト結果には、テスト答データとテスト解説データが含まれる。
【００２８】
［本システムの処理の概略］
本システムの処理の概略について説明する。
本システムでは、講義・テスト提供サーバ１が、パラグラフ毎に講義データを受講者のＰＣ３に提供して小テストを実施し、合格点に到達しない場合は受講者のＰＣ３に苦手分野であることを通知して、その分野について弱点克服のテストを実施し、パラグラフが終了し、次の節に移行する前にまとめテスト（節テスト）を実施して、そのまとめテストで正解率の悪い箇所に相当するパラグラフについては再度講義データをＰＣ３に提供して、更に小テストを実施し、その小テストで合格点に到達しないと、弱点克服テストを実施するものである。
【００２９】
つまり、本システムでは、テストドリブンのシステムであって、受講者は苦手分野を認識しながら、弱点克服テストを効果的に受けて次の講義に進むことができ、講義の受講、テストの実施という流れの中で、受講者の弱点を自然に容易に克服できるものである。
【００３０】
［本システムの機能実現手段］
次に、講義・テスト提供サーバ１の制御部１１が処理プログラムにより実現する機能実現手段について説明する。
記憶部１２に記憶された処理プログラムが制御部１１に読み込まれて実現される手段として、講義・テスト管理手段、講義提供手段、テスト実施手段、苦手分野のパラグラフ判定手段等がある。
【００３１】
［講義・テスト管理手段］
講義・テスト管理手段は、講義・テスト構造データ記憶部１２ａの構造データに基づいてオンラインによる講義データの配信を管理し、テストの実施を管理するもので、ｅラーニングのスケジューリングを制御する手段である。
但し、ｅラーニングのスケジュールは、テスト結果によって変化するようになっている。
【００３２】
つまり、講義・テスト管理手段は、テスト実施手段から採点結果の通知を受けると、また、苦手分野のパラグラフ判定手段から苦手分野のパラグラフの通知を受けると、合格点以上であれば次の講義の配信又はテストの実施を指示し、合格点未満であれば、その通知に含まれる章・節・パラグラフ番号を講義提供手段とテスト実施手段に通知し、講義提供手段がその章・節・パラグラフ番号の講義を再生し、テスト実施手段がその章・節・パラグラフ番号の小テストを実施する。
【００３３】
また、講義・テスト管理手段は、苦手分野のパラグラフ判定手段から苦手分野のパラグラフの通知を受けると、その通知に含まれる章・節・パラグラフ番号を講義提供手段とテスト実施手段に通知し、講義提供手段がその章・節・パラグラフ番号の講義を再生し、テスト実施手段がその章・節・パラグラフ番号の小テストを実施する。
【００３４】
［講義提供手段］
講義提供手段は、講義・テスト管理手段で配信される講義が章・節・パラグラフ番号で特定され、当該講義の配信指示を受け付けると、該当するパラグラフの講義データを講義データ記憶部１２ｂから読み込み、インターネット２を介してアクセスしているＰＣ３に配信する。
【００３５】
［テスト実施手段］
テスト実施手段は、講義・テスト管理手段で実施されるテストが章・節・パラグラフ番号で特定され、当該テストの実施指示を受け付けると、該当するパラグラフのテストデータの内、テスト問題データをテストデータ記憶部１２ｃから読み込み、インターネット２を介してアクセスしているＰＣ３に配信する。尚、テスト問題データは、パラグラフ内のテスト問題データから選択的（ランダム）に抽出して特定数の問題データが提供される。提供されるテスト問題データは、章・節・パラグラフ番号、テスト番号を一時的に記憶しており、当該番号により採点を行う。
【００３６】
テストは、パラグラフ内の小テストの場合、当該パラグラフ内からテスト問題データが選択的に抽出され、節のまとめテストの場合、節内の全てのパラグラフ内からテスト問題データが選択的に抽出され、章のまとめテストの場合、章内の全てのパラグラフ内からテスト問題データが選択的に抽出される。
尚、まとめテストの場合、パラグラフ毎に抽出するテスト問題数を予め決めておき、その数に基づいて任意にテスト問題データを抽出してもよい。
【００３７】
また、テスト実施手段は、ＰＣ３から解答データを受信すると、テストデータ記憶部１２ｃから対応するテスト答データを参照して一致又は不一致によって採点を行い、採点結果をＰＣ３に通知する。当該通知には、テストデータ記憶部１２ｃから読み込んだテスト答データとテスト解説データを含める。
【００３８】
更に、テスト実施手段は、採点結果が合格点に到達しているか否かを判定し、合格点に到達していれば、講義・テスト管理手段にその旨を報告する。当該報告を受けた講義・テスト管理手段は、構造データに基づいて次の講義配信又はテスト実施を行うことになる。
また、テスト実施手段は、採点結果が合格点に到達していなければ、当該パラグラフは苦手分野と認定し、ＰＣ３に苦手分野のパラグラフである旨通知し、テストデータ記憶部１２ｃから当該パラグラフのテスト問題データを抽出し、「弱点克服テスト」としてＰＣ３に提供する。
テスト実施手段は、採点したテストが、まとめテストであって、更に合格点に到達していない場合には、苦手分野のパラグラフ判定手段にその旨を報告する。
【００３９】
弱点克服テストについても、テスト実施手段は、採点を行い、採点結果を判定し、合格点に到達しているか否かを講義・テスト管理手段にその旨を報告する。当該報告を受けた講義・テスト管理手段は、合格点に到達していれば、構造データに基づいて次の講義配信又はテスト実施を行い、合格点に到達していなければ、当該パラグラフの講義を再度配信することになる。
【００４０】
［苦手分野のパラグラフ判定手段］
苦手分野のパラグラフ判定手段は、まとめテストについて合格点に到達していない場合にテスト実施手段から報告を受け、不正解になった問題がどのパラグラフに該当するかを判定し、パラグラフにおける不正解率を算出し、設定された基準値を上回った場合には、当該パラグラフを苦手分野のパラグラフと判定する。尚、基準値はパラグラフ毎に異なる値を設定するようにしてもよい。
【００４１】
苦手分野のパラグラフ判定手段は、特定のパラグラフが苦手分野のパラグラフと判定した場合には、ＰＣ３に特定のパラグラフが苦手分野のパラグラフである旨通知し、更にその旨及び該当する章・節・パラグラフ番号を講義・テスト管理手段に報告する。当該報告を受けた講義・テスト管理手段は、講義提供手段に当該特定のパラグラフの講義を提供させ、その後に、テスト実施手段に当該特定のパラグラフの小テストを実施し、問題データをＰＣ３に配信する。
【００４２】
［本システムの処理：図５，６］
次に、本システムの処理について図５，６を参照しながら説明する。図５は、本システムの処理フロー１を示すフローチャートであり、図６は、本システムの処理フロー２を示すフローチャートである。処理フロー１と処理フロー２とは連続するものである。
本システムの処理は、図５，６に示すように、講義・テスト提供サーバ１の制御部１１が、講義提供手段によりパラグラフの講義を提供する（Ｓ１）。講義の提供は講義の動画像データの配信によって為される。尚、パラグラフの講義提供前の処理は、説明を省略している。
【００４３】
次に、講義・テスト提供サーバ１の制御部１１が、パラグラフの講義が終了したか否かを判定し（Ｓ２）、終了していなければ（Ｎｏの場合）、判定処理Ｓ２を繰り返す。終了していれば（Ｙｅｓの場合）、テスト実施手段により当該パラグラフの小テストを実施する（Ｓ３）。
【００４４】
そして、小テストの採点結果から合格点以上か否かを判定し（Ｓ４）、合格点未満であれば（Ｎｏの場合）、当該パラグラフが苦手分野である旨受講者に通知し、当該パラグラフにおける弱点克服テストを実施する（Ｓ５）。
弱点克服テストの採点結果から合格点以上か否かを判定し（Ｓ６）、合格点未満であれば（Ｎｏの場合）、再度当該パラグラフの講義を提供する処理（Ｓ１）に戻る。
また、弱点克服テストの採点結果が合格点以上であれば（Ｙｅｓの場合）、節の終了か否かを判定する（Ｓ７）。
【００４５】
また、判定処理Ｓ４で、小テストの採点結果が合格点以上の場合（Ｙｅｓの場合）は、判定処理Ｓ７に移行して、節の終了か否かを判定する。
そして、判定処理Ｓ７で、節の終了でなければ（Ｎｏの場合）、次のパラグラフの講義を提供する（Ｓ８）。
尚、２回目以上のパラグラフの講義が提供された場合には、処理Ｓ３の小テスト実施で採点結果が合格点未満であっても、堂々巡りを避けるために、次のパラグラフの講義提供（Ｓ８）に移行するようにしてもよい。
【００４６】
判定処理Ｓ７で節の終了の場合（Ｙｅｓの場合）、テスト実施手段によりまとめテストを実施する（Ｓ９）。そして、そのまとめテストが合格点以上か否かを判定し（Ｓ１０）、合格点以上であれば（Ｙｅｓの場合）、その旨を講義・テスト管理手段に報告して処理を終了する。講義・テスト管理手段は、次の節若しくは章に移行することになる。
【００４７】
まとめテストが合格点未満であれば（Ｎｏの場合）、テスト実施手段は、その旨を苦手分野のパラグラフ判定手段に報告し、苦手分野のパラグラフ判定手段は、正解及び不正解のテスト問題をパラグラフ毎に分類し、パラグラフ毎の不正解率が特定の基準値を上回っている場合に、当該パラグラフを苦手分野のパラグラフと認定し、その旨を講義・テスト管理手段に報告する。
苦手分野のパラグラフ判定手段は、当該パラグラフが苦手分野のパラグラフである旨を受講者のＰＣ３にも通知する。
講義・テスト管理手段は、講義提供手段に苦手分野のパラグラフの講義を提供させ（Ｓ１１）、その後、テスト実施手段にそのパラグラフの小テストを実施させる（Ｓ１２）。
【００４８】
そして、上記小テストの採点結果が合格点以上か否かを判定し（Ｓ１３）、合格点以上の場合（Ｙｅｓの場合）、テスト実施手段は、再度のまとめテスト実施（Ｓ９）に移行する。２回目以降のまとめテストは、テストデータ記憶部１２ｃから新たに問題データを選択的に抽出するので、１回目のまとめテストの問題とは異なるものになる。
また、上記小テストの採点結果が合格点未満の場合（Ｎｏの場合）、当該パラグラフが苦手分野である旨受講者に通知し、当該パラグラフの弱点克服テストを実施する（Ｓ１４）。
【００４９】
弱点克服テストの採点結果が、合格点以上の場合（Ｙｅｓの場合）、テスト実施手段は、再度のまとめテスト実施（Ｓ９）に移行する。
弱点克服テストの採点結果が、合格点未満の場合（Ｎｏの場合）、テスト実施手段は、当該パラグラフを苦手分野のパラグラフとして講義・テスト管理手段に報告し、講義・テスト管理手段が講義提供手段に苦手分野のパラグラフの講義を提供させる処理（Ｓ１１）に移行する。
【００５０】
尚、判定処理Ｓ１５で弱点克服テストの採点結果が合格点未満であってもまとめテストに移行してもよい。
また、判定処理Ｓ１３で小テストの採点結果が合格点以上である場合に、または、判定処理Ｓ１５で弱点克服テストの採点結果が合格点以上である場合に、まとめテストに移行せず、講義・テスト管理手段に次の節、若しくは次の章に移行させるようにしてもよい。
【００５１】
［小テストの画面：図７］
小テスト画面について図７を参照しながら説明する。図７は、小テスト画面を示す図である。
小テスト画面は、図７に示すように、小テストナビゲーション画面部分と、問題のステータス画面部分と、問題文画面部分とを有している。
【００５２】
小テストナビゲーション画面部分は、現在受験中の章、節、パラグラフ（小テスト）を表示し、テストが終了したパラグラフがあれば、その番号の背景色を変化させて表示している。
問題のステータス画面部分は、問題番号、回答状況、最大評点、回答方式が記載される。
問題文画面部分は、当該パラグラフの問題文が表示され、その問題文の横に○又は×を選択して回答できるようになっている。
【００５３】
［弱点克服テストの画面：図８］
弱点克服テスト画面について図８を参照しながら説明する。図８は、弱点克服テスト画面を示す図である。
弱点克服テスト画面は、図８に示すように、小テストナビゲーション画面部分で「弱点克服テスト」である旨表示し、問題のステータス画面部分の下に「苦手分野」を明確にする苦手分野表示画面部分を表示し、問題文画面部分には苦手分野のパラグラフの問題文が表示される。
尚、苦手分野表示画面部分には、全体の正答率も計算されて表示される。
【００５４】
［まとめテストの画面：図９］
まとめテスト画面について図９を参照しながら説明する。図９は、まとめテスト画面を示す図である。
まとめテスト画面は、図９に示すように、小テストナビゲーション画面部分で「まとめテスト」である旨表示し、問題文画面部分には、まとめテストの対象である章・節の問題文が関連するパラグラフから抽出されて表示される。
【００５５】
［実施の形態の効果］
本システムによれば、講義・テスト提供サーバ１が、パラグラフ毎に講義データを受講者のＰＣ３に提供して小テストを実施し、合格点に到達しない場合は受講者のＰＣ３に苦手分野であることを通知して、その分野について弱点克服のテストを実施し、パラグラフが終了し、次の節に移行する前にまとめテストを実施して、そのまとめテストで正解率の悪い箇所に相当するパラグラフについては再度講義データをＰＣ３に提供して、更に小テストを実施し、その小テストで合格点に到達しないと、弱点克服テストを実施するようにしているので、受講者は苦手分野を認識しながら、弱点克服テストを効果的に受けて次の講義に進むことができ、講義の受講、テストの実施という流れの中で、受講者の弱点を自然に容易に克服できる効果がある。
【産業上の利用可能性】
【００５６】
本発明は、受講者に苦手分野であることを通知して、弱点克服のテストを実施し、まとめテストで正解率の悪い箇所に相当するパラグラフについては再度講義を提供して、更に小テスト、弱点克服テストを実施するようにしているので、講義の受講、テストの実施という流れの中で、受講者の弱点を自然に容易に克服できる講義・テスト提供システムに好適である。
【符号の説明】
【００５７】
１...講義・テスト提供サーバ、  ２...インターネット、  ３...ＰＣ、  １１...制御部、  １２...記憶部、  １２ａ...講義・テスト構造データ記憶部、  １２ｂ...講義データ記憶部、  １２ｃ...テストデータ記憶部、  １３...インタフェース部
【要約】
【課題】  受講者に苦手分野であることを通知して、弱点克服のテストを実施し、まとめテストで正解率の悪い箇所に相当するパラグラフについては再度講義を提供して小テスト、弱点克服テストを実施して、講義の受講、テストの実施という流れの中で、受講者の弱点を自然に容易に克服できるテストドリブン型Ｅラーニングシステムを提供する。
【解決手段】  講義・テスト提供サーバ１が、パラグラフ毎に講義データをＰＣ３に提供して小テストを実施し、合格点に到達しない場合はＰＣ３に苦手分野であることを通知して、その分野で弱点克服のテストを実施し、パラグラフが終了し、次の節に移行する前にまとめテストを実施して、そのまとめテストで正解率の悪い箇所に相当するパラグラフについては再度講義データをＰＣ３に提供して小テストを実施し、その小テストで合格点に到達しないと弱点克服テストを実施する。
【選択図】        図５【図１】
0005473099.tif 000002
【図２】
0005473099.tif 000003
【図３】
0005473099.tif 000004
【図４】
0005473099.tif 000005
【図５】
0005473099.tif 000006
【図６】
0005473099.tif 000007
【図７】
0005473099.tif 000008
【図８】
0005473099.tif 000009
【図９】
0005473099.tif 000010